(57)【特許請求の範囲】
【請求項１】
便器本体の内側に配置される排水ソケットを介して床面に配置される腰掛式便器への給水管の立ち上げ構造において、
前記給水管が床面から立ち上げられた箇所を前記便器本体で覆うとともに、
前記便器本体の排水口が挿入される排水口挿入部と、前記給水管が挿通される立ち上げ開口部と、が前記排水ソケットの上部に設けられ、
前記便器本体下部には台座部が形成されるとともに、前記台座部の上部平面には前記便器本体の内側に貫通する貫通穴が前記立ち上げ開口部の真上に位置するように形成され、
前記給水管が前記排水ソケットの立ち上げ開口部及び前記便器本体の貫通穴を挿通するよう立ち上げられることを特徴とする腰掛式便器への給水管の立ち上げ構造。
【請求項２】
前記給水管は、端部が前記排水ソケットの立ち上げ開口部に嵌合されるフランジに挿通されて、前記排水ソケットに対し固定されることを特徴とする請求項１記載の腰掛式便器への給水管の立ち上げ構造。
【請求項３】
前記フランジは前記便器本体の貫通穴より大径の鍔部を備え、
前記鍔部が前記便器本体に当接するまで前記フランジの端部が前記排水ソケットの立ち上げ開口部に嵌合されることを特徴とする請求項２記載の腰掛式便器への給水管の立ち上げ構造。
【請求項４】
前記フランジは周方向に分割され、前記給水管を挟み込んで結合することで、前記フランジの内部に前記給水管を挿通させるように構成されたことを特徴とする請求項２又は３記載の腰掛式便器への給水管の立ち上げ構造。
【発明の詳細な説明】
【０００１】
【発明の属する技術分野】
本発明は、腰掛式便器への給水管の立ち上げ構造及びその腰掛式便器を備えたトイレルームに関するものである。
【０００２】
【従来の技術】
従来の腰掛式便器をトイレルーム内に設置するにあたり、腰掛式便器とは別に、給水管を後側の壁裏に敷設して壁中央部から取り出すかあるいは床から立ち上げていた。
そして、その給水管に止水栓を接続して、腰掛式便器の上部に設置された給水タンクに接続される。
つまり、設置現場において腰掛式便器設置後、トイレルーム内まで予め敷設した給水管に止水栓を接続し、この止水栓と給水タンクとを接続管にて連通連結し、耐圧検査をすることにより、設置工事が完了することになる。
【０００３】
【発明が解決しようとする課題】
したがって、従来の腰掛式便器をトイレルーム内に設置する場合においては、トイレルーム内に給水管や止水栓等が露出することになるため、便器周りをスッキリとすることが困難であり、清掃性も悪かった。
また、給水管と排水管とを別々に離れた位置（現場毎に給水管の立ち上げ位置をけがく作業が発生する）に独立して設置しているため、施工性が悪かった。
【０００４】
本発明では上記課題を解決するためになされたもので、本発明の第一の目的は、腰掛式便器周りがスッキリとした配管構成が実現できる腰掛式便器、腰掛式便器への給水管の立ち上げ構造およびその腰掛式便器を備えたトイレルームを提供することにある。
また、本発明の第二の目的は、施工現場で、腰掛式便器への給水管の立ち上げと止水栓取り付けの省施工化が図れる腰掛式便器、腰掛式便器への給水管の立ち上げ構造およびその腰掛式便器を備えたトイレルームを提供することにある。
【０００５】
【課題を解決するための手段】
上記のような課題を解決するために、請求項１記載の発明は、便器本体の内側に配置される排水ソケットを介して床面に設置される腰掛式便器への給水管の立ち上げ構造において、前記給水管が床面から立ち上げられた箇所を前記便器本体で覆うとともに、前記便器本体の排水口が挿入される排水口挿入部と、前記給水管が挿通される立ち上げ開口部と、が前記排水ソケットの上部に設けられ、前記便器本体下部には台座部が形成されるとともに、前記台座部の上部平面には前記便器本体の内側に貫通する貫通穴が前記立ち上げ開口部の真上に位置するよう形成され、前記給水管が前記排水ソケットの立ち上げ開口部及び前記便器本体の貫通穴を挿通するよう立ち上げられることを特徴とする腰掛式便器への給水管の立ち上げ構造とした。これにより、便器の近傍に給水管を別途立ち上げずにすみ、便器本体内側に給水管の立ち上げ部が隠れるため便器周りの意匠性を高めることができる。また、床面から立ち上げられた給水管が立ち上げ開口部で仮保持され、上方から便器本体を載置するだけで便器本体に給水管が挿通されるため、取り付け作業が容易なものとなる。
【０００６】
また、請求項２記載の発明では、前記給水管は、端部が前記排水ソケットの立ち上げ開口部に嵌合されるフランジに挿通されて、前記排水ソケットに対し固定されることとした。
【０００７】
また、請求項３記載の発明では、前記フランジは前記便器本体の貫通穴より大径の鍔部を備え、前記鍔部が前記便器本体に当接するまで前記フランジの端部が前記排水ソケットの立ち上げ開口部に嵌合されることとした。これにより、排水ソケットと便器本体とを確実に固定することが可能となり、省施工が図れる。
【０００８】
また、請求項４記載の発明は、前記フランジは周方向に分割され、前記給水管を挟み込んで結合することで、前記フランジの内部に前記給水管を挿通させるよう構成した。
【００１６】
【発明の実施の形態】
本発明の実施の形態である腰掛式便器本体１（以下、便器本体１と呼ぶ）への給水管１０の立ち上げ構造及びその便器本体１を備えたトイレルームについて、以下に説明する。
本発明の便器本体１においては、便器本体１を設置して覆われる床面領域に排水管用穴８と給水管用穴９を形成している。
そして、排水管１２をこの排水管用穴８に貫通させて便器本体１の排水管接続部に接続し、また、樹脂製給水管１０（以下、給水管１０と呼ぶ）をこの給水管用穴９に貫通させて便器本体１に直接立ち上げている。
つまり、床下より、排水管１２と所定の間隔をもって隣接させて立ち上げた給水管１０を、排水ソケット１６の給水管立ち上げ開口部１９および便器本体１の便器貫通穴２０に通して立ち上げ、フランジ２１等の固定部材を用いて便器本体１と固定させている。
【００１７】
図１には、便器本体１の裏側に給水管１０を立ち上げている状態を示している。
この給水管１０には、ワンタッチ継手１５が接続されており、また、このワンタッチ継手１５に止水栓５をクイックファスナー１３により接続している。
さらに、便器側の給水タンク２に設置されている給水ホース４に分岐金具６を取付け、その分岐金具６と止水栓５を接続し、そして局部洗浄装置３に設置されている給水ホース４を接続している。
このように、便器裏側に便器本体１と一体的に給水管１０を立ち上げて配管することで、便器周りをスッキリとさせて、清掃性がよく、いままでにない快適なトイレルームを提供することができる。
なお、図１０に示すように便器本体１は、便鉢の下側に台座部１ａを有し、その台座部１ａの内側に空間１ｂが形成されている。便器本体１は、図示しない排水トラップ部を有しており、更にこのトラップ部に続いて便器本体１後部に下向きの排水口（図示なし）を有している。
また、図１に示すように、便器本体１後部側面に設けられた逆三角形のマークは、止水栓５の位置を示すものである。これにより、通常便器前方からは見にくい位置に設けられている止水栓５の位置を使用者や作業者に知らせることができ、メンテナンス作業などが容易になる。
【００１８】
次に上述した便器本体１と一体に給水管１０を立ち上げ、そして、その給水管１０に止水栓５を取付ける手順を、以下に図面を参照してより具体的に説明する。
まず、給水管１０の立ち上げ要領、および給水管１０と排水管１２の立ち上げ部に設ける排水ソケット１６とフランジ２１等固定部材の施工手順を説明する。
【００１９】
＜３ｍｍ保温巻き樹脂管を使用する場合＞
＜１＞給水管用穴９を排水管用穴８より８５ｍｍの所定の間隔を離した位置にあける。図２に示す様に給水管用穴９と排水管用穴８を連通させて長穴にすることで、後述する施工手順＜７＞の作業が行い易くなる。
＜２＞図３の様に、排水管用穴８に排水管１２が通された状態で、床下より給水管１０を給水管用穴９から取り出す。給水管１０を取り出す時は、保温材１１に傷が入らないように行う。
＜３＞取り出した給水管１０を図４の様に床面よりおよそ２３０ｍｍから２４０ｍｍの位置で切断する。この時パイプカッターを用いて、切断面が管軸に直角になるように切断する。斜めに切断した場合、下記＜５＞で説明するワンタッチ継手１５への差し込みが不完全となり、水漏れの原因となる。
＜４＞図５の様に、給水管１０を被覆している保温材１１を給水管１０の切断面からおよそ１３０ｍｍの位置（長さ）で、給水管１０に傷が入らないように切断し、取外す。
＜５＞次に、給水管１０とワンタッチ継手１５を確実に接続する。尚、ワンタッチ継手１５とは、継手本体にロックリングおよびＯリングがあり、給水管１０を差し込むことにより簡単に接続することができ、また、継手と給水管１０が強固に接続され、引っ張っても抜けない構造にしている継手であり、従来のナット締め付けなどの面倒な作業がなくなる。
＜６＞図６の様に、ワンタッチ継手１５に塞ぎ蓋１４を取り付けて、ワンタッチ継手１５のＯリング部の保護と給水管１０内へのごみの侵入を防止する。また、次の工程に進む前に、作業を行い易くするために、立ち上げた給水管１０の曲がり癖を直す。
【００２０】
ワンタッチ継手１５を取り付けた後に耐圧検査をする場合は、塞ぎ蓋１４とワンタッチ継手１５を図６に示すクイックファスナー１３で固定する。クイックファスナー１３は、パチッと音がするまで確実に差し込む。
尚、クイックファスナー１３とは、止水栓５の鍔とワンタッチ継手１５の鍔を対向するように接続させ、その接続部に差し込むことで、簡単に部品どうしを固定することができる部材であり、ねじ接続などの面倒な作業がなくなる。
【００２１】
＜７＞ワンタッチ継手１５部にクイックファスナー１３が付いている場合は、クイックファスナー１３を外した後、図７の様に大便器用排水ソケット１６の給水管立ち上げ開口部１９に給水管１０を通し、排水ソケット１６をビス止めで床に取り付ける。図８は、給水管１０を排水ソケット１６に通した状態の斜視図である。
＜８＞次に図９の様に便器本体１の貫通穴２０に給水管１０を通し、排水ソケット１６の便器取付固定部１８に便器本体１を取り付ける。
＜９＞図１２に示す半割のフランジ２１を給水管１０にはめ合わせて固定し、フランジ端部２１ａを排水ソケット１６の給水管立ち上げ開口部１９に嵌合させるとともに便器本体１に設けられた便器貫通穴２０に嵌合させて便器本体１と固定する。この時フランジ２１と便器本体１に隙間が出来ないよう最後までねじ込む。図１０は、フランジ２１を排水ソケット１６に嵌合させて便器本体１に固定した状態の部分断面図である。
＜１０＞パッキン（スリット入り）２２をテーパが付いている方を上にして給水管１０にはめ、スリットの方向に押しながら図１１の様にフランジ２１の中に入れる。
＜１１＞図１４の様に、ナットＡ２３をフランジ２１にねじ込む。
＜１２＞次に図１５の様にワンタッチ継手１５にリング２４を取り付け、ナットＡ２３の中に押し込む。図１６はリング２４がナットＡ２３の中に納まった状態の図である。
＜１３＞図１７の様にナットＢ２５をナットＡ２３に締め付け、ワンタッチ継手１５を固定する。その際、塞ぎ蓋１４の先端からナットＢ２５の端面まで３０ｍｍ程度になるように調整する。クイックファスナー１３は紛失しないように再度固定しておく。図１３は、図１２に示す部材が排水ソケット１６に取り付けられた状態を表している。
【００２２】
なお、排水ソケット１６は、便器排水口挿入部１７、便器取付固定部１８、給水管立ち上げ開口部１９からなるソケットであり、便器排水口挿入部１７に排水管１２、また便器排水口挿入部１７より所定の間隔をもって設けられた給水管立ち上げ開口部１９に給水管１０を通し、床に固定する構造になっている。
また、図１に示すように、貫通穴２０は、便器後部左右に各々設けられているので、現場の状況に応じて給水管１０を排水管１２に対して左右どちらからでも床下から立ち上げて便器本体１の後部に設けることができる。
【００２３】
＜１４＞図２６から図２８に示すように、ワンタッチ継手１５に止水栓５を取り付ける。そして、クイックファスナー１３で抜けないように接続する。
【００２４】
＜さや管付樹脂管を使用する場合＞
＜１＞＜３ｍｍ保温巻き樹脂管の場合＞の＜１＞の要領で給水管用穴９をあける。
＜２＞床下よりさや管２７を給水管用穴９から取り出し、図１８の様にさや管２７を床面より７０ｍｍから８０ｍｍの位置で切断する。次にさや管２７に給水管１０を通し、給水管１０を床面より２３０ｍｍから２４０ｍｍの位置で切断する。
＜３＞以降の施工手順は、＜３ｍｍ保温巻き樹脂管の場合＞の＜５＞から＜１４＞と同様である。
【００２５】
＜位置決めプレート２８を使用する場合＞
位置決めプレート２８は、床を張る前に給水管１０の立ち上げを行う際、排水管１２の位置に合わせて給水管１０の位置決めを行い易くするために使用する部材である。例えばこの位置決めプレート２８は、図１９に示す様に樹脂製の板材（１７０ｍｍ×１５０ｍｍ）からなり、この板材に給水管用穴９（φ３２）と排水管用穴８（φ９０）を設けている。
【００２６】
＜１＞図２０の様に、残木２９を根太３０などに固定し、位置決めプレート２８の排水管用穴８を排水管１２に合わせ、給水管１０の立ち上げ位置が排水管１２と平行になるように、位置決めプレート２８を残木２９に取り付ける。
＜２＞次に図２１の様に、給水管用穴９にさや管２７または３ｍｍ保温巻き樹脂管を傷が入らないように通す。
＜３＞立ち上げたさや管２７または３ｍｍ保温巻き樹脂管の位置に合わせ、図２２の様に、粗床および仕上げ床３１に給水管用穴９と排水管用穴８を加工する。この時、施工を行い易くするために、図２の様に給水管用穴９と排水管用穴８は切り欠いて長穴にしてもよい。
＜４＞以降の施工手順は、上述した＜３ｍｍ保温巻き樹脂管の場合＞の＜５＞から＜１４＞と同様である。
【００２７】
次に止水栓５の施工手順を説明する。図２３は、図１２に示す部材を便器本体１に取り付けた状態であり、ここに図２４に示す止水栓５を取り付けることで図２５の様に便器本体１への止水栓５の取り付けが完了する。
＜１＞図２３の様に、あらかじめ便器本体１に設置されているフランジ２１部のワンタッチ継手１５より塞ぎ蓋１４を外し、図２６の様にワンタッチ継手１５に止水栓５を取り付ける。止水栓５は、ワンタッチ継手１５との接続部に隙間が出来ないように確実に押し込む。
＜２＞ワンタッチ継手１５への止水栓５の取り付けが完了したら、図２７（Ａ）の様に止水栓５とワンタッチ継手１５の接続部にクイックファスナー１３を取り付ける。クイックファスナー１３は、パチッと音がするまで、図２７（Ｂ）の様に確実に差し込む。これにより接続部からの水漏れを防ぐことができる。
【００２８】
図２８に示すクイックファスナー１３の取り付け方法において、図２８（Ａ）および図２８（Ｂ）は止水栓５とワンタッチ継手１５の接続部に隙間がなく、鍔部にクイックファスナー１３が真っ直ぐ差し込まれた正しい取り付けであり、図２８（Ｃ）はクイックファスナー１３が確実に差し込まれてなく、また図２８（Ｄ）は止水栓５とワンタッチ継手１５の接続部に隙間があり、クイックファスナー１３が斜めに取り付けられた間違った取り付けである。
【００２９】
＜３＞クイックファスナー１３部にクイックファスナー用カバー３２を取り付ける。このカバー３２は、クイックファスナー１３の保護やクイックファスナー１３へのいたずら防止、またクイックファスナー１３の誤施工防止のために取り付ける。クイックファスナー１３を図２８（Ｃ）および図２８（Ｄ）の様な間違った取り付け方をすると、止水栓５とワンタッチ継手１５の接続部にこのカバー３２を取り付けることはできず、誤施工による水漏れを防ぐことができる。
【００３０】
図２９に示す様にカバー３２のつめ（Ａ）３３を反対側のつめ（Ｂ）３４にパチンと音がするまではめ、カバー３２を左右に引っ張り、カバー３２が外れないことを確認する。カバー３２が確実に取り付けられた状態を図３０に示す。
＜４＞カバー３２を取り外す場合は、図３１に示すカバー３２のつめ（Ｂ）３４部を手前に軽く引き上げ、引き上げたまま、カバー３２を左右に広げる。
＜５＞次に止水栓５に便器側の給水ホース４を接続する。
【００３１】
＜局部洗浄装置一体型便器に取り付ける場合＞
＜１＞図３２の様に、止水栓５のワンタッチソケット７に、便器本体１からの給水ホース４をカチッと音がするまで確実に差し込み、引っ張って抜けないことを確認する。
＜局部洗浄装置別体型便器に取り付ける場合＞
＜１＞局部洗浄装置別体型便器に付属している図３３で示す分岐金具６をアダプタ３５にねじ込む。この時、分岐金具６の袋ナット３６部に必ずパッキン３７を入れてねじ込み、水漏れを防ぐために更に工具を使って締め付ける。
＜２＞止水栓５のワンタッチソケット７に＜１＞で接続したアダプタ３５をカチッと音がするまで確実に差し込み、引っ張って抜けないことを確認する。
【００３２】
＜器具側の袋ナットに取り付ける場合＞
＜１＞図３４に示す器具側の袋ナット３８をアダプタ３５にねじ込む。この時、袋ナット３８部に必ずパッキン３７を入れてねじ込み、水漏れを防ぐために更に工具を使って締め付ける。
＜２＞止水栓５のワンタッチソケット７に＜１＞で接続したアダプタ３５をカチッと音がするまで確実に差し込み、引っ張って抜けないことを確認する。
＜３＞図３６（Ａ）の様に給水ホース４またはアダプタ３５をワンタッチソケット７より取り外す場合は、図３６（Ｂ）に示すワンタッチソケット７のスリーブ４０の凹部４１を凸部４２に合わせスリーブ４０を下げて、給水ホース４またはアダプタ３５を引き抜く。図３５（Ａ）はワンタッチソケット７の外観形状、図３５（Ｂ）はワンタッチソケット７の構造を表す断面図３９である。
＜４＞器具取り付け後、耐圧検査を行い、接続部からの水漏れがないことを確認する。
【００３３】
【発明の効果】
本発明は、以上に説明したような形態で実施され、便器本体１に給水管１０を立ち上げ、同給水管１０に止水栓５を連結したことにより、省施工化が図れ、また、便器本体１に給水管１０等が隠れ、トイレ空間内に余分な配管が無くなり、スッキリとしており、外観製が向上するとともに掃除がし易くなる。
【図面の簡単な説明】
【図１】  本件発明の一実施の形態である腰掛式便器を示す。
【図２】  床にあけた排水管用穴と給水管用穴の位置関係を示す。
【図３】排水管と給水管とを床から立ち上げた状態を示す。
【図４】給水管を床から立ち上げた状態の断面を示す。
【図５】床から立ち上げた給水管の端部側の保温材を取った状態を示す。
【図６】床から立ち上げた給水管にワンタッチ継手を取付けた状態を示す。
【図７】ワンタッチ継手を取付けた給水管を排水ソケットの開口部に通し床に固定した状態を示す。
【図８】給水管を排水ソケットに通した状態の斜視図を示す。
【図９】給水管を便器の貫通穴に通し、排水ソケットに便器を取付けた状態を示す。
【図１０】フランジを排水ソケットにねじ込み、便器に固定した状態の部分断面図を示す。
【図１１】給水管にパッキンをはめ、フランジの中に入れた状態を示す。
【図１２】給水管を便器まで立ち上げて、かつ排水ソケットと便器と固定するために必要な固定部材を示す。
【図１３】給水管および図１２に示す固定部材が排水ソケットに取付けられた状態を示す。
【図１４】排水ソケットと便器に固定したフランジにナットＡをねじ込んだ状態を示す。
【図１５】ワンタッチ継手にリングを取付けた状態を示す。
【図１６】ワンタッチ継手に取付けたリングをナットＡの中に押込んだ状態を示す。
【図１７】ナットＢをナットＡに締付け、ワンタッチ継手を固定した状態を示す。
【図１８】排水管とさや管および給水管を床から立ち上げた状態を示す。
【図１９】床張り前の給水管立ち上げに使用する位置決めプレートを示す。
【図２０】床張り前に根太に固定した残木に位置決めプレートを取付けた状態を示す。
【図２１】取付けた位置決めプレートに給水管を立ち上げた状態を示す。
【図２２】立ち上げた給水管と排水管に合わせ、粗床および仕上げ床に給水管用穴と排水管用穴を加工した状態を示す。
【図２３】便器に図１２に示す固定部材を取付けた状態を示す。
【図２４】止水栓を示す。
【図２５】便器本体に止水栓が取付いた状態を示す。
【図２６】ワンタッチ継手から塞ぎ蓋を外し止水栓を取付ける状態を示す。
【図２７】接続したワンタッチ継手と止水栓にクイックファスナーを取付けた状態を示す。
【図２８】クイックファスナーの正しい取付け方と間違った取付け方を示す。
【図２９】クイックファスナー用カバーとカバーの取付け部位を示す。
【図３０】クイックファスナー用カバーを取付けた状態を示す。
【図３１】クイックファスナー用カバーの取外し方を示す。
【図３２】止水栓と局部洗浄装置一体型便器との接続方法を示す。
【図３３】止水栓と局部洗浄装置別体型便器との接続方法を示す。
【図３４】止水栓と器具側の袋ナットとの接続方法を示す。
【図３５】ワンタッチソケットの外観形状および構造をを表す断面を示す。
【図３６】ワンタッチソケットの取外し方法を示す。
【符号の説明】
１  腰掛式便器本体（便器本体）
１ａ  台座部
１ｂ  空間
２  給水タンク
３  局部洗浄装置
４  給水ホース
５  止水栓
６  分岐金具
７  ワンタッチソケット
８  排水管用穴
９  給水管用穴
１０  給水管
１１  保温材
１２  排水管
１３  クイックファスナー
１４  塞ぎ蓋
１５  ワンタッチ継手
１６  排水ソケット
１７  便器排水口挿入部
１８  便器取付固定部
１９  給水管立ち上げ開口部
２０  便器貫通穴
２１  フランジ
２１ａ  端部
２２  パッキン（スリット入り）
２３  ナットＡ
２４  リング
２５  ナットＢ
２６  インコア
２７  さや管
２８  位置決めプレート
２９  残木
３０  根太
３１  粗床および仕上げ床
３２  カバー
３３  つめ（Ａ）
３４  つめ（Ｂ）
３５  アダプタ
３６  袋ナット
３７  パッキン
３８  袋ナット
３９  ワンタッチソケット断面図
４０  ワンタッチソケットのスリーブ
４１  スリーブの凹部
４２  スリーブの凸部
４３  ハンドル
【図１】
0003818091.tif 000002
【図２】
0003818091.tif 000003
【図３】
0003818091.tif 000004
【図４】
0003818091.tif 000005
【図５】
0003818091.tif 000006
【図６】
0003818091.tif 000007
【図７】
0003818091.tif 000008
【図８】
0003818091.tif 000009
【図９】
0003818091.tif 000010
【図１０】
0003818091.tif 000011
【図１１】
0003818091.tif 000012
【図１２】
0003818091.tif 000013
【図１３】
0003818091.tif 000014
【図１４】
0003818091.tif 000015
【図１５】
0003818091.tif 000016
【図１６】
0003818091.tif 000017
【図１７】
0003818091.tif 000018
【図１８】
0003818091.tif 000019
【図１９】
0003818091.tif 000020
【図２０】
0003818091.tif 000021
【図２１】
0003818091.tif 000022
【図２２】
0003818091.tif 000023
【図２３】
0003818091.tif 000024
【図２４】
0003818091.tif 000025
【図２５】
0003818091.tif 000026
【図２６】
0003818091.tif 000027
【図２７】
0003818091.tif 000028
【図２８】
0003818091.tif 000029
【図２９】
0003818091.tif 000030
【図３０】
0003818091.tif 000031
【図３１】
0003818091.tif 000032
【図３２】
0003818091.tif 000033
【図３３】
0003818091.tif 000034
【図３４】
0003818091.tif 000035
【図３５】
0003818091.tif 000036
【図３６】
0003818091.tif 000037